(57)【要約】【課題】カードが装着されていないカードアダプタを挿入しても端子が破損しないカード用コネクタを提供する。【解決手段】カード用コネクタ１００は、ハウジング１と、ハウジング１の上側に被せられ収納空間を形成するカバーと、収納空間に向かって突出し、挿入されたカードに接触可能な端子３を備え、下面の挿入方向の奥側の端面から第１の距離Ｄ１だけ離れた位置にカード保持用凹部が形成されたカードアダプタを挿入可能なカード用コネクタであって、ハウジング１に保持され下側に弾性変形可能な弾性片４と、弾性片４の挿入方向（Ｙ１方向）の奥側に形成され収納空間に突出する係止用凸部４ａと、係止用凸部４ａから弾性片４の挿入方向の手前側へ第１の距離Ｄ１だけ離れて形成され収納空間に突出する押下用凸部４ｂと、を有し、端子３よりも挿入方向の手前側に配置されているアダプタロック機構２０を備えた構成とした。【選択図】図６
2015075858.tif 000002
【特許請求の範囲】
【請求項１】
ハウジングと、
前記ハウジングの上側に被せられ前記ハウジングとの間に収納空間を形成するカバーと、
前記収納空間に向かって突出し、挿入されたカードに接触可能な端子を備え、
少なくとも下面の挿入方向の奥側の端面から第１の距離だけ離れた位置にカード保持用凹部が形成されたカードアダプタを挿入可能なカード用コネクタであって、
前記ハウジングに保持され下側に弾性変形可能な弾性片と、前記弾性片の前記挿入方向の奥側に形成され前記収納空間に突出する係止用凸部と、前記係止用凸部から前記弾性片の前記挿入方向の手前側へ前記第１の距離だけ離れて形成され前記収納空間に突出する押下用凸部と、を有し、前記端子よりも前記挿入方向の手前側に配置されているアダプタロック機構を備えたことを特徴とするカード用コネクタ。
【請求項２】
前記係止用凸部は、前記挿入方向の手前側に前記挿入方向に対して垂直な係止面を有することを特徴とする請求項１に記載のカード用コネクタ。
【請求項３】
前記押下用凸部は、前記挿入方向へ向かうほど高さが高くなる第１傾斜面と、前記第１傾斜面の前記挿入方向の奥側に前記第１傾斜面に連続して設けられ前記挿入方向へ向かうほど高さが低くなる第２傾斜面と、を有する山形状に構成されたことを特徴とする請求項１または請求項２に記載のカード用コネクタ。
【請求項４】
前記弾性片は、前記挿入方向の手前側が支持端となり前記挿入方向の奥側が自由端となるように片持ち保持されていることを特徴とする請求項１ないし請求項３のいずれかに記載のカード用コネクタ。
【発明の詳細な説明】
【技術分野】
【０００１】
本発明は、カード用コネクタに関し、特に、カードが装着されていないカードアダプタを挿入しても端子が破損しないカード用コネクタに関するものである。
【背景技術】
【０００２】
電子機器には、カード型記録媒体やＩＣカードなど（以後、カードと記す）を挿抜可能な製品が多い。このような電子機器には、カードとの電気的な接続にカード用コネクタが用いられることが多い。また、昨今、大きさの異なる複数種類のカードが存在しており、一つのカード用コネクタで大きさの異なるカードに対応することが求められている。例えば、大きさの大きなカードに対応しているカード用コネクタで、大きさの小さいカードに対応する方法として、小さいカードを差し込むことで大きなカードと同じ大きさにできるアダプタを用いる対応方法がある。このようなカード用コネクタとしては、下記の特許文献１に記載のカード用コネクタが知られている。
【０００３】
以下、図１７を用いて、特許文献１に記載のＩＣカード装着ユニット９００について説明する。図１７は、特許文献１に記載のＩＣカード装着ユニット９００の外観を示す斜視図である。
【０００４】
特許文献１に記載のＩＣカード装着ユニット９００は、カードアダプタ９２０１とカード用コネクタ９３０１とを備える。カードアダプタ９２０１には、ＩＣカード９４０１が嵌合される。カード用コネクタ９３０１は、カードアダプタ９２０１をスライド挿通される開口９３０２と、スライド挿通されたカードアダプタ９２０１に対面する対面部９３１２とを有する。カードアダプタ９２０１は、嵌合されたＩＣカード９４０１の脱落を防ぐ脱落防止部９２０４Ａを有する。脱落防止部９２０４Ａは、ＩＣカード９４０１のパッド部とコンタクトとの接触を妨げないよう嵌合部９２０３に掛け渡され嵌合されたＩＣカード９４０１を支持するセンターリブ部９２０４やサイドリブ部９２０５を含む。カード用コネクタ９３０１には、脱落防止部９２０４Ａを通過させる空間領域を形成する退避部が形成される。
【先行技術文献】
【特許文献】
【０００５】
【特許文献１】特開２０１２−１０９１６５号公報
【発明の概要】
【発明が解決しようとする課題】
【０００６】
しかしながら、カード用コネクタ９３０１に対して、カードが取り付けられていない空のカードアダプタ９２０１を誤って挿入した場合、カードアダプタ９２０１の前端外縁部が端子に損傷を与えたり、端子がカードアダプタ９２０１に引っ掛かり、無理に抜くことで端子が破損することが懸念される。特に、端子形状が、奥側に延びる片持ち形状の場合、破損は免れない。
【０００７】
本発明は、上述した課題を解決して、カードが装着されていないカードアダプタを挿入しても端子が破損しないカード用コネクタを提供するものである。
【課題を解決するための手段】
【０００８】
請求項１に記載のカード用コネクタにおいては、ハウジングと、前記ハウジングの上側に被せられ前記ハウジングとの間に収納空間を形成するカバーと、前記収納空間に向かって突出し、挿入されたカードに接触可能な端子を備え、少なくとも下面の挿入方向の奥側の端面から第１の距離だけ離れた位置にカード保持用凹部が形成されたカードアダプタを挿入可能なカード用コネクタであって、前記ハウジングに保持され下側に弾性変形可能な弾性片と、前記弾性片の前記挿入方向の奥側に形成され前記収納空間に突出する係止用凸部と、前記係止用凸部から前記弾性片の前記挿入方向の手前側へ前記第１の距離だけ離れて形成され前記収納空間に突出する押下用凸部と、を有し、前記端子よりも前記挿入方向の手前側に配置されているアダプタロック機構を備えた、という特徴を有する。
【０００９】
請求項２に記載のカード用コネクタにおいては、前記係止用凸部は、前記挿入方向の手前側に前記挿入方向に対して垂直な係止面を有する、という特徴を有する。
【００１０】
請求項３に記載のカード用コネクタにおいては、前記押下用凸部は、前記挿入方向へ向かうほど高さが高くなる第１傾斜面と、前記第１傾斜面の前記挿入方向の奥側に前記第１傾斜面に連続して設けられ前記挿入方向へ向かうほど高さが低くなる第２傾斜面と、を有する山形状に構成された、という特徴を有する。
【００１１】
請求項４に記載のカード用コネクタにおいては、前記弾性片は、前記挿入方向の手前側が支持端となり前記挿入方向の奥側が自由端となるように片持ち保持されている、という特徴を有する。
【発明の効果】
【００１２】
請求項１の発明によれば、カードが取り付けられたカードアダプタを挿入した場合には、先ずカードアダプタの下面が押下用凸部に当接し、弾性片が下側に撓み（弾性変形し）、弾性片が撓むのに連動して係止用凸部もカードアダプタよりも低い位置に移動しておりカードアダプタに当接しないため、カードアダプタはさらに挿入可能である。カードアダプタをさらに挿入すると、押下用凸部はカードアダプタに取り付けられたカードに当接するため、弾性片および係止用凸部も押下用凸部がカードアダプタに当接したときと同じ状態を保持し、カードアダプタはさらに奥まで挿入可能である。カードが取り付けられていないカードアダプタを挿入した場合には、先ずカードアダプタの下面が押下用凸部に当接し、カードが取り付けられたカードアダプタを挿入した場合と同様に、カードアダプタはさらに挿入可能である。カードアダプタをさらに挿入すると、押下用凸部はカード保持用凹部が設けられた位置の達する。カード保持用凹部は凹形状に形成されているため、押下用凸部はカード保持用凹部に入り込み、押下用凸部には下側へ押圧する力が掛からなくなり、弾性片は撓みのない状態となる。このように弾性片が撓みのない状態となることで、押下用凸部から挿入方向奥側へ前記第１の距離だけ離れて形成された係止用凸部は収納空間に突出した状態となり、カードアダプタの挿入方向側端面に当接し、カードアダプタのそれ以上の挿入を阻止することができる。すなわち弾性片、係止用凸部および押下用凸部を有するアダプタロック機構によって、カードアダプタのそれ以上の挿入を阻止することができる。したがって、カードアダプタが端子に達すること事は無く、カードが装着されていないカードアダプタによって端子が破損することは無い。よって、カードが装着されていないカードアダプタを挿入しても端子が破損しないカード用コネクタを提供することができる、という効果を奏する。
【００１３】
請求項２の発明によれば、上下方向に垂直な係止面を設け、係止面をカードアダプタに当接させることで、係止用凸部とカードアダプタとはより確実に係合する。よって、カードが装着されていないカードアダプタの挿入をより確実に阻止することができる、という効果を奏する。
【００１４】
請求項３の発明によれば、押下用凸部を第１傾斜面と第２傾斜面とを有する山形状とすることで、カードが取り付けられていないカードアダプタが挿入されたときには、第１斜面に沿ってカードアダプタが当接することで押下用凸部は下側へ押圧され撓むため、カードアダプタを挿入することができる。また、カードが取り付けられていないカードアダプタの挿入を阻止した後に、カードアダプタを引き抜く時には、カード保持用凹部の挿入方向の奥側の端部が第２斜面に沿って当接することで押下用凸部は下側へ押圧され撓むため、カード保持用凹部から破損することなく脱出することができ、カードアダプタを引き抜くことができる。したがって、カードアダプタを確実に挿入することができるとともに確実に抜くことができる、という効果を奏する。
【００１５】
請求項４の発明によれば、挿入方向の手前側を弾性片の支持端とすることで、係止用凸部は押下用凸部よりも自由端側に配置される。したがって、カードアダプタが押下用凸部に当接し、弾性片が下側に撓んだ時に、自由端側の方が、撓み量が大きくなるため、係止用凸部は確実に押下用凸部よりも低い位置になる。これにより、係止用凸部の高さを高く形成しても弾性片が下側に撓んだ時にはカードアダプタに干渉しにくく、カードが取り付けられていないカードアダプタが挿入された場合には、より確実にカードアダプタの挿入を阻止することができる。したがって、カードアダプタのスムーズな挿抜が可能であり、カードが取り付けられていないカードアダプタの挿入を確実に阻止することができるカード用コネクタを提供することができる、という効果を奏する。
【００１６】
以上より、本発明によれば、カードが装着されていないカードアダプタを挿入しても端子が破損しないカード用コネクタを提供することができる。
【図面の簡単な説明】
【００１７】
【図１】第１実施形態におけるカード用コネクタ１００の構成を示す分解斜視図である。
【図２】第１実施形態におけるカード用コネクタ１００の外観を示す斜視図である。
【図３】第１実施形態におけるカードアダプタＡＤを示す図である。
【図４】第１実施形態におけるスライダ５を示す図である。
【図５】第１実施形態におけるハウジング１を示す図である。
【図６】第１実施形態における弾性片４を示す図である。
【図７】第１実施形態におけるカード用コネクタにおいて、カードアダプタＡＤが未挿入の状態を示す平面図である。
【図８】第１実施形態におけるカード用コネクタにおいて、カードアダプタＡＤが挿入され当接部５ｅに当接した状態を示す平面図である。
【図９】第１実施形態におけるカード用コネクタにおいて、カードアダプタＡＤが挿入され、スライダ５がロックされた状態を示す平面図である。
【図１０】第１実施形態において、カードアダプタＡＤが未挿入の時の弾性片４を示す側面図である。
【図１１】第１実施形態において、カードアダプタＡＤが挿入されカードアダプタＡＤと第１傾斜面４ｄとが接触した状態の弾性片４を示す側面図である。
【図１２】第１実施形態における弾性片４において、カードアダプタＡＤに押圧され下方へ撓んだ状態を示す側面図である。
【図１３】第１実施形態において、カードアダプタＡＤに取り付けられたカードＣＡに押圧され下方へ撓んだ状態の弾性片４を示す側面図である。
【図１４】第１実施形態において、カードＣＡが未装着のカードアダプタＡＤが挿入された場合の係止面４ｃとカードアダプタＡＤとの係合状態を示す側面図である。
【図１５】第１実施形態において、カード保持用凹部ＣＶの挿入方向先端側の内側面と押下用凸部４ｂの第２傾斜面４ｅとが当接した状態を示す側面図である。
【図１６】第１実施形態の変形例の１つを示す図である。
【図１７】特許文献１に記載のＩＣカード装着ユニット９００の外観を示す斜視図である。
【発明を実施するための形態】
【００１８】
［第１実施形態］
以下に第１実施形態におけるカード用コネクタについて説明する。
【００１９】
まず始めに本実施形態におけるカード用コネクタ１００の構成について図１ないし図６を用いて説明する。図１は第１実施形態におけるカード用コネクタ１００の構成を示す分解斜視図である。図２は第１実施形態におけるカード用コネクタ１００の外観を示す斜視図である。図３は第１実施形態におけるカードアダプタＡＤを示す図であり、図３（ａ）はカードアダプタＡＤとカードＣＡとを示す斜視図であり、図３（ｂ）は図３（ｂ）に示すＺ１方向側から見たカードアダプタＡＤを示す平面図である。図４は第１実施形態におけるスライダ５を示す図であり、図４（ａ）はスライダ５の外観を示す斜視図であり、図４（ｂ）は図４（ａ）に示すＺ１方向側から見たスライダ５を示す平面図である。図５は第１実施形態におけるハウジング１を示す図であり、図５（ａ）はハウジング１の外観を示す斜視図であり、図５（ｂ）は図５（ａ）に示すＺ１方向側から見たハウジング１を示す平面図である。図６は第１実施形態における弾性片４を示す図であり、図６（ａ）は図５（ｂ）に示すＡ部を拡大した平面図であり、図６（ｂ）は図６（ａ）に示すＸ１方向側から見た弾性片４を示す側面図である。
【００２０】
カード用コネクタ１００は、図１に示すように、ハウジング１と、カバー２と、端子３と、弾性片４と、スライダ５と、ラッチピン６と、付勢部材７とを備え、図２に示すように、カードアダプタＡＤを挿入可能なカード用コネクタである。なお、カードアダプタＡＤを挿入可能なカード用コネクタと説明したが、そのまま挿入するだけでカード用コネクタ１００が対応可能なカードも挿入可能である。以下の説明においても、カードアダプタＡＤを挿入可能、カードアダプタＡＤに対応可能などの説明があった場合には、そのまま挿入するだけでカード用コネクタ１００が対応可能なカードに対しても同様である。
【００２１】
カードアダプタＡＤは合成樹脂材からなり、図３に示すように、板状に形成され、内部にカードＣＡに接続可能な金属薄板からなる配線パターンが設けられている。カードアダプタＡＤは、そのまま挿入するだけでカード用コネクタ１００が対応可能なカードとは大きさが異なるカードＣＡを、カード用コネクタ１００でも使用可能にするための物である。したがって、カードアダプタＡＤの外形形状および外形寸法は、そのまま挿入するだけでカード用コネクタ１００が対応可能なカードとほぼ同じに形成されている。なお、平面視で、カードアダプタＡＤがカード用コネクタ１００に挿入される方向（挿入方向、Ｙ１方向）の１つの角部、本実施形態においてはＸ１方向側の角部には、カード用コネクタ１００が対応可能なカードと同様に、面取りがされたような形状に形成された誤挿入防止形状部ＥＳが設けられている。カードアダプタＡＤは、カードＣＡを保持するとともにカードＣＡと電気的に接続可能なカード保持用凹部ＣＶを有し、カード保持用凹部ＣＶはカードＣＡの外形に合わせた凹形状に形成されている。カード保持用凹部ＣＶは、カードアダプタＡＤの少なくとも下面（Ｚ２方向側の面）の挿入方向の奥側の端面から第１の距離Ｄ１だけ離れた位置に形成されている。なお、カードＣＡは、カード用コネクタ１００と電気的に接続可能な接続端子部ＴＭを備え、本実施形態においては、接続端子部ＴＭは、カードの裏面側に、所定の間隔で１列に３つ配置されるとともに、２列が並べて配置されている。
【００２２】
付勢部材７は金属線材からなり、図１に示すような、コイルばねである。
【００２３】
ラッチピン６は金属の棒材からなり、図１に示すように、直線状に延設された棒部６ａを有し、棒部６ａの両端は同一方向にそれぞれ直角に突出したピン部６ｂを有する。
【００２４】
スライダ５は合成樹脂材からなり、図４に示すように、略Ｌ文字型に形成され、内部には一部金属板が埋設されている。スライダ５は直方体状に延出して形成されたベース部５ａを有している。スライダ５は、ベース部５ａの上面（Ｚ１方向側の面）に、溝状に形成されたハートカム部５ｂを有し、ハートカム部５ｂはＺ１方向側からの平面視で略ハートマーク形状に形成され、直線状に設けられた直線部５ｃと環状に設けられた環状部５ｄとを有する。また、ハートカム部５ｂの内部底面には適宜高低差が設けられている。なお、ハートカム部５ｂは、ラッチピン６のピン部６ｂを挿入可能な幅に形成されている。また、Ｚ１方向側から平面視した場合に、スライダ５は、ベース部５ａにおいて、ハートカム部５ｂの直線部５ｃが設けられた側の先端部に、ベース部５ａからＸ２方向側へ延設された当接部５ｅを有する。Ｚ１方向側からの平面視にて、当接部５ｅのＹ２方向側の形状は、カードアダプタＡＤの挿入方向の奥側の端面および誤挿入防止形状部ＥＳに合致する形状に形成されている。また、スライダ５は、ベース部５ａにおいて、ハートカム部５ｂの環状部５ｄが設けられた側に付勢部材保持部５ｆを有する。付勢部材保持部５ｆは、ベース部５ａのＸ１方向側に、ベース部５ａと平行となるように、棒状に延出して設けられ、コイルばねである付勢部材７の端部から挿入可能な大きさに形成されている。
【００２５】
ハウジング１は、図５に示すように、中空で、上面および１つの側面が開放された直方体状に形成されている。ハウジング１は、合成樹脂材からなり、内部には金属薄板からなる配線が埋設されている。なお、本実施形態においては、ハウジング１に埋設された金属薄板の一部が露出して、端子３、弾性片４および外部接続端子１ｇなどが形成されている。ハウジング１は、中空の直方体状に形成され、上面（Ｚ１方向側の面）および１つの側面（Ｙ２方向側の面）が開放された本体部１ａを有している。本体部１ａの本体部１ａの開放された１つの側面は、Ｘ１方向側に側壁を一部残して、カードアダプタＡＤを挿入可能な大きさに開放されており、開放された部分は挿入口１ｂを形成している。挿入口１ｂのＸ１方向側に一部残った側壁を規制壁１ｃとすると、本体部１ａの中空状に形成された箇所には、規制壁１ｃから連続して、規制壁１ｃよりも低い高さのリブ状で、かつ挿入口１ｂに対応する側の側面まで直線状に延設された仕切リブ１ｄが形成されている。本体部１ａの中空状に形成された箇所は、仕切リブ１ｄを境として、挿入口１ｂに直結したカード収納部１ｅと、スライダ収納部１ｆとに分けられている。カード収納部１ｅは、カードアダプタＡＤを収納可能な大きさに形成されており、カード収納部１ｅの内部底面には、カードアダプタＡＤおよびカードＣＡにそれぞれ対応して、端子３および弾性片４が露出して設けられている。また、スライダ収納部１ｆは、スライダ５のベース部５ａおよび付勢部材保持部５ｆを配置可能な大きさに形成されている。なお、スライダ収納部１ｆのＹ２方向側の側壁（規制壁１ｃ）の上面には、ラッチピン６のピン部６ｂを挿入可能なピン穴１ｈが形成されている。本体部１ａの挿入口１ｂに対向する側には、Ｙ１方向へ突出して形成された６本の外部接続端子１ｇが等間隔に並べて配置されている。
【００２６】
端子３は金属薄板からなり、図５に示すように、ハウジング１のカード収納部１ｅの内部底面から、カード収納部１ｅに突出して形成されている。なお、端子３は、挿入方向（Ｙ１方向）の手前側が支持端となり挿入方向の奥側が自由端となるようにハウジング１により片持ち保持されており、自由端側の先端がカード収納部１ｅに突出するとともに、下側に弾性変形可能である。また、本実施形態においては、端子３は挿入口１ｂの近くに等間隔に３つ１列に並んで配置されるとともに、挿入口１ｂよりも挿入方向の奥側に等間隔に３つ１列に並んで配置され、合計で６つの端子３が、カードＣＡの接続端子部ＴＭに対応した位置に自由端側の先端が来るように配置されている。
【００２７】
弾性片４は金属薄板からなり、図５に示すように、ハウジング１のカード収納部１ｅの内部底面から、カード収納部１ｅに突出して形成されている。なお、弾性片４は、挿入方向（Ｙ１方向）の手前側が支持端となり挿入方向の奥側が自由端となるようにハウジング１により片持ち保持されており、自由端側の先端がカード収納部１ｅに突出するとともに、下側に弾性変形可能である。本実施形態においては、弾性片４は、挿入口１ｂの近くに等間隔に３つ１列に並んで配置され端子３同士の間に、弾性片４と端子３とは交互に並ぶように２つ配置されている。
【００２８】
図６に示すように、弾性片４は、弾性片４の挿入方向の奥側、本実施形態においては先端部に、カード収納部１ｅに突出する係止用凸部４ａを有し、係止用凸部４ａから弾性片４の挿入方向の手前側へ第１の距離Ｄ１だけ離れた位置にカード収納部１ｅに突出する押下用凸部４ｂを有している。係止用凸部４ａは、挿入方向の手前側に挿入方向に対して垂直な係止面４ｃを有する。また、押下用凸部４ｂは、挿入方向（Ｙ１方向）へ向かうほど高さが高くなる第１傾斜面４ｄと、第１傾斜面４ｄの挿入方向の奥側に第１傾斜面４ｄに連続して設けられ挿入方向へ向かうほど高さが低くなる第２傾斜面４ｅと、を有する山形状に構成されている。このような、係止用凸部４ａおよび押下用凸部４ｂを備えた弾性片４によりアダプタロック機構２０が構成され、アダプタロック機構２０は端子３よりも挿入方向の手前側（Ｙ２方向側）に配置されている。
【００２９】
カバー２は金属板からなり、図１に示すように、ハウジング１のカード収納部１ｅおよびスライダ収納部１ｆを覆うことが可能な大きさの平板に形成された天板部２ａと、天板部２ａに対して直角で同一方向に平板状に延設された側壁部２ｂとを有する。
【００３０】
次にカード用コネクタ１００の構造について図７を用いて説明する。図７は第１実施形態におけるカード用コネクタにおいて、カードアダプタＡＤが未挿入の状態を示す平面図である。
【００３１】
図７に示すように、スライダ５は、ハートカム部５ｂがハウジング１のスライダ収納部１ｆの内部底面と逆側になるとともに、当接部５ｅがカード収納部１ｅに突出するように、スライダ収納部１ｆに配置される。スライダ収納部１ｆに配置されたスライダ５は、仕切リブ１ｄに沿って挿入方向（Ｙ１方向）および排出方向（Ｙ２方向）に移動可能である。また、カード収納部１ｅに突出した当接部５ｅは、カードアダプタＡＤが挿入されたときに、当接可能である。付勢部材７は一端をスライダ５の付勢部材保持部５ｆに係合し、他端をスライダ収納部１ｆの挿入方向側の内側壁に当接し、スライダ５とハウジング１とにより圧接挟持されるように配置される。このように付勢部材７が配置されることで、スライダ５は排出方向に付勢され、排出方向側の端部はスライダ収納部１ｆの内側壁に当接している。なお、スライダ５は付勢部材７の付勢力に抗して、挿入方向（Ｙ１方向）および排出方向（Ｙ２方向）に移動可能である。ラッチピン６は、一端側のピン部６ｂをハウジング１のピン穴１ｈに挿入し、他端側のピン部６ｂをスライダ５のハートカム部５ｂの溝に挿入した状態で配置される。他端側のピン部６ｂはハートカム部５ｂに沿って移動可能にハートカム部５ｂと係合し、一端側のピン部６ｂは他端側のピン部６ｂが移動可能となるようにピン穴１ｈと係合している。すなわち、スライダ５が移動した場合には、ラッチピン６は一端側のピン部６ｂを支点として、他端側のピン部６ｂはハートカム部５ｂに沿って移動可能に配置されている。このようにピン部６ｂがハートカム部５ｂに沿って移動可能に配置されることで、ハートカム機構によるスライダロックユニット３０が形成され、付勢部材７の付勢力に抗して移動したスライダ５を所定の位置に保持することが可能となる。このように他の構成部品が配設されたカード収納部１ｅおよびスライダ収納部１ｆの上方を覆うように、カバー２がハウジング１の上側に被せられ、ハウジング１に係止される。これにより、ハウジング１に配設された構成部品はそれぞれ動作可能に保持される。また、カバー２とハウジング１との間に収納空間２ｃが形成され、端子３が収納空間２ｃに向かって突出し、カードアダプタＡＤに装着された状態で挿入されたカードＣＡに接触可能となりカード用コネクタ１００が形成される。なお、弾性片４はカードアダプタＡＤが挿入されたときに、平面視でカードアダプタＡＤのカード保持用凹部ＣＶ（図３参照）と重なる位置に、収納空間２ｃへ突出して設けられている。
【００３２】
次にカード用コネクタ１００の動作について図７ないし図１５を用いて説明する。図８は第１実施形態におけるカード用コネクタにおいて、カードアダプタＡＤが挿入され当接部５ｅに当接した状態を示す平面図である。図９は第１実施形態におけるカード用コネクタにおいて、カードアダプタＡＤが挿入され、スライダ５がロックされた状態を示す平面図である。図１０は第１実施形態において、カードアダプタＡＤが未挿入の時の弾性片４を示す側面図である。図１１は第１実施形態において、カードアダプタＡＤが挿入されカードアダプタＡＤと第１傾斜面４ｄとが接触した状態の弾性片４を示す側面図である。図１２は第１実施形態における弾性片４において、カードアダプタＡＤに押圧され下方へ撓んだ状態を示す側面図である。図１３は第１実施形態において、カードアダプタＡＤに取り付けられたカードＣＡに押圧され下方へ撓んだ状態の弾性片４を示す側面図である。図１４は第１実施形態において、カードＣＡが未装着のカードアダプタＡＤが挿入された場合の係止面４ｃとカードアダプタＡＤとの係合状態を示す側面図である。図１５は第１実施形態において、カード保持用凹部ＣＶの挿入方向先端側の内側面と押下用凸部４ｂの第２傾斜面４ｅとが当接した状態を示す側面図である。
【００３３】
カードアダプタＡＤが未挿入時のカード用コネクタ１００は、図７に示すように、スライダ５が付勢部材７によりスライダ収納部１ｆの排出方向側（Ｙ２方向側）の側壁に当接位置まで付勢されている。この状態を初期状態とする。
【００３４】
カード用コネクタ１００にカードＣＡが取り付けられたカードアダプタＡＤが挿入されると、図８に示すように、収納空間２ｃ（カード収納部１ｅ）に突出したスライダ５の当接部５ｅにカードアダプタＡＤが当接する。カードアダプタＡＤをさらに挿入方向へ押し込むと、スライダ５が付勢部材７の付勢力に抗して挿入方向の奥側へ移動する。カードアダプタＡＤとともに収納空間２ｃの挿入方向の奥側へ移動したスライダ５は、図９に示すように、最奥部近くの位置でスライダロックユニット３０にロック（保持）される。このとき、端子３はカードＣＡの接続端子部ＴＭにそれぞれ当接することで電気的な接続がなされ、カード用コネクタ１００を設けた電子機器等はカード用コネクタ１００を介してカードＣＡとの電子データの授受が可能となる。
【００３５】
図９に示すように、最奥部近くの位置でスライダロックユニット３０によりロック（保持）されたスライダ５を、カードアダプタＡＤを介して挿入方向へ押圧すると、スライダロックユニット３０によるロックが解除され、付勢部材７の付勢力によりスライダ５はカードアダプタＡＤとともに初期状態に復帰し、カードアダプタＡＤが排出される。
【００３６】
次に、カードアダプタＡＤが挿入、排出されるときの弾性片４の動作について説明する。
【００３７】
初期状態においては、図１０に示すように、弾性片４は係止用凸部４ａおよび押下用凸部４ｂが収納空間２ｃに突出している。
【００３８】
カードアダプタＡＤが挿入されると、図１１に示すように、カードアダプタＡＤの挿入方向の奥側の端面が押下用凸部４ｂの第１傾斜面４ｄに当接する。カードアダプタＡＤが当接した第１傾斜面４ｄは下方（Ｚ２方向）へ押圧され、図１２に示すように、弾性片４は下方へ撓み、カードアダプタＡＤは押下用凸部４ｂに摺接しながら挿入方向奥側へ移動する。
【００３９】
図１２に示す状態からさらにカードアダプタＡＤが挿入方向奥側へ移動すると、カードアダプタＡＤにカードＣＡが装着されている場合には、図１３に示すように、弾性片４は押下用凸部４ｂが、カードアダプタＡＤとほぼ面一に装着されたカードＣＡに当接し継続して下方へ撓むとともにカードＣＡと摺接する。これによりカードアダプタＡＤはスライダ５がロックされる位置まで移動する。
【００４０】
カードアダプタＡＤにカードＣＡが装着されていない場合には、図１４に示すように、カードアダプタＡＤが挿入方向奥側へ移動すると、カードアダプタＡＤと摺接していた押下用凸部４ｂはカード保持用凹部ＣＶに落下する。押下用凸部４ｂがカード保持用凹部ＣＶに落下することで、弾性片４を下方へ撓ます押圧力が解除され、係止用凸部４ａは収納空間２ｃに突出する。カード保持用凹部ＣＶはカードアダプタＡＤの挿入方向の奥側の端面から第１の距離Ｄ１だけ離れた位置に形成されているとともに、係止用凸部４ａから挿入方向の手前側へ第１の距離Ｄ１だけ離れた位置に押下用凸部４ｂが形成されているため、カードアダプタＡＤの挿入方向の奥側の端面と係止用凸部４ａとが当接する。また、係止用凸部４ａは、挿入方向の手前側に挿入方向に対して垂直な係止面４ｃを有するため、弾性片４は下方へ撓まず、カードアダプタＡＤが挿入方向奥側へ、それ以上移動するのを阻止する。すなわちアダプタロック機構２０が、カードアダプタＡＤが挿入方向奥側へ、それ以上移動するのを阻止する。
【００４１】
図１４に示す状態からカードアダプタＡＤを排出方向（Ｙ２方向）へ移動させると、図１５に示すように、カード保持用凹部ＣＶの挿入方向先端側の内側面とカード保持用凹部ＣＶに落下した押下用凸部４ｂの第２傾斜面４ｅとが当接する。カード保持用凹部ＣＶの内側面が当接した第２傾斜面４ｅは下方（Ｚ２方向）へ押圧され、図１２に示すように、弾性片４は下方へ撓み、カードアダプタＡＤは押下用凸部４ｂに摺接しながら排出方向へ移動することができる。
【００４２】
以下、本実施形態としたことによる効果について説明する。
【００４３】
本実施形態のカード用コネクタ１００では、ハウジング１と、ハウジング１の上側に被せられハウジング１との間に収納空間２ｃを形成するカバー２と、収納空間２ｃに向かって突出し、挿入されたカードＣＡに接触可能な端子３を備え、少なくとも下面の挿入方向の奥側の端面から第１の距離Ｄ１だけ離れた位置にカード保持用凹部ＣＶが形成されたカードアダプタＡＤを挿入可能なカード用コネクタであって、ハウジング１に保持され下側に弾性変形可能な弾性片４と、弾性片４の挿入方向の奥側に形成され収納空間２ｃに突出する係止用凸部４ａと、係止用凸部４ａから弾性片４の挿入方向の手前側へ第１の距離Ｄ１だけ離れて形成され収納空間２ｃに突出する押下用凸部４ｂと、を有し、端子３よりも挿入方向の手前側に配置されているアダプタロック機構２０を備えた、構成とした。
【００４４】
これにより、カードＣＡが取り付けられたカードアダプタＡＤを挿入した場合には、先ずカードアダプタＡＤの下面が押下用凸部４ｂに当接し、弾性片４が下側に撓み（弾性変形し）、弾性片４が撓むのに連動して係止用凸部４ａもカードアダプタＡＤよりも低い位置に移動しておりカードアダプタＡＤに当接しないため、カードアダプタＡＤはさらに挿入可能である。カードアダプタＡＤをさらに挿入すると、押下用凸部４ｂはカードアダプタＡＤに取り付けられたカードＣＡに当接するため、弾性片４および係止用凸部４ａも押下用凸部４ｂがカードアダプタＡＤに当接したときと同じ状態を保持し、カードアダプタＡＤはさらに奥まで挿入可能である。カードＣＡが取り付けられていないカードアダプタＡＤを挿入した場合には、先ずカードアダプタＡＤの下面が押下用凸部４ｂに当接し、カードＣＡが取り付けられたカードアダプタＡＤを挿入した場合と同様に、カードアダプタＡＤはさらに挿入可能である。カードアダプタＡＤをさらに挿入すると、押下用凸部４ｂはカード保持用凹部ＣＶが設けられた位置の達する。カード保持用凹部ＣＶは凹形状に形成されているため、押下用凸部４ｂはカード保持用凹部ＣＶに入り込み、押下用凸部４ｂには下側へ押圧する力が掛からなくなり、弾性片４は撓みのない状態となる。このように弾性片４が撓みのない状態となることで、押下用凸部４ｂから挿入方向奥側へ第１の距離Ｄ１だけ離れて形成された係止用凸部４ａは収納空間２ｃに突出した状態となり、カードアダプタＡＤの挿入方向側端面に当接し、カードアダプタＡＤのそれ以上の挿入を阻止することができる。すなわち弾性片４、係止用凸部４ａおよび押下用凸部４ｂを有するアダプタロック機構２０によって、カードアダプタＡＤのそれ以上の挿入を阻止することができる。したがって、カードアダプタＡＤが端子３に達すること事は無く、カードＣＡが装着されていないカードアダプタＡＤによって端子３が破損することは無い。よって、カードＣＡが装着されていないカードアダプタＡＤを挿入しても端子３が破損しないカード用コネクタを提供することができる、という効果を奏する。
【００４５】
また、本実施形態のカード用コネクタ１００では、係止用凸部４ａは、挿入方向の手前側に挿入方向に対して垂直な係止面４ｃを有する、構成とした。
【００４６】
これにより、上下方向に垂直な係止面４ｃを設け、係止面４ｃをカードアダプタＡＤに当接させることで、係止用凸部４ａとカードアダプタＡＤとはより確実に係合する。よって、カードＣＡが装着されていないカードアダプタＡＤの挿入をより確実に阻止することができる、という効果を奏する。
【００４７】
また、本実施形態のカード用コネクタ１００では、押下用凸部４ｂは、挿入方向へ向かうほど高さが高くなる第１傾斜面４ｄと、第１傾斜面４ｄの挿入方向の奥側に第１傾斜面４ｄに連続して設けられ挿入方向へ向かうほど高さが低くなる第２傾斜面４ｅと、を有する山形状に構成された、構成とした。
【００４８】
これにより、押下用凸部４ｂを第１傾斜面４ｄと第２傾斜面４ｅとを有する山形状とすることで、カードＣＡが取り付けられていないカードアダプタＡＤが挿入されたときには、第１斜面に沿ってカードアダプタＡＤが当接することで押下用凸部４ｂは下側へ押圧され撓むため、カードアダプタＡＤを挿入することができる。また、カードＣＡが取り付けられていないカードアダプタＡＤの挿入を阻止した後に、カードアダプタＡＤを引き抜く時には、カード保持用凹部ＣＶの挿入方向の奥側の端部が第２斜面に沿って当接することで押下用凸部４ｂは下側へ押圧され撓むため、カード保持用凹部ＣＶから破損することなく脱出することができ、カードアダプタＡＤを引き抜くことができる。したがって、カードアダプタＡＤを確実に挿入することができるとともに確実に抜くことができる、という効果を奏する。
【００４９】
また、本実施形態のカード用コネクタ１００では、弾性片４は、挿入方向の手前側が支持端となり挿入方向の奥側が自由端となるように片持ち保持されている、構成とした。
【００５０】
これにより、挿入方向の手前側を弾性片４の支持端とすることで、係止用凸部４ａは押下用凸部４ｂよりも自由端側に配置される。したがって、カードアダプタＡＤが押下用凸部４ｂに当接し、弾性片４が下側に撓んだ時に、自由端側の方が、撓み量が大きくなるため、係止用凸部４ａは確実に押下用凸部４ｂよりも低い位置になる。これにより、係止用凸部４ａの高さを高く形成しても弾性片４が下側に撓んだ時にはカードアダプタＡＤに干渉しにくく、カードＣＡが取り付けられていないカードアダプタＡＤが挿入された場合には、より確実にカードアダプタＡＤの挿入を阻止することができる。したがって、カードアダプタＡＤのスムーズな挿抜が可能であり、カードＣＡが取り付けられていないカードアダプタＡＤの挿入を確実に阻止することができるカード用コネクタを提供することができる、という効果を奏する。
【００５１】
以上のように、本発明の実施形態に係るカード用コネクタを具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。なお、図１６は第１実施形態の変形例の１つを示す図である。
【００５２】
[変形例１]
第１実施形態において、弾性片４は挿入方向の手前側が支持端となり挿入方向の奥側が自由端となるように片持ち保持されている構成としたが、例えば、図１６に示すように、自由端と支持端との位置が逆であっても成り立つ。その際には、カードＣＡが装着されたカードアダプタＡＤが挿入されたときに、挿入動作に影響が出ないように、係止用凸部４ａの高さや押下用凸部４ｂの高さを調整する必要がある。
【００５３】
[変形例２]
第１実施形態において、端子３は６つ設けられているが、カード用コネクタが対応するカードの種類に応じて個数および配置箇所を変更しても良い。
【００５４】
[変形例３]
第１実施形態において、カード用コネクタ１００はスライダ５、ラッチピン６および付勢部材７からなるハートカム機構を用いたスライダロックユニット３０を有しているが、スライダロックユニットがない構成のカード用コネクタであっても良い。
【符号の説明】
【００５５】
１      ハウジング
１ａ    本体部
１ｂ    挿入口
１ｃ    規制壁
１ｄ    仕切りリブ
１ｅ    カード収納部
１ｆ    スライダ収納部
１ｇ    外部接続端子
１ｈ    ピン穴
２      カバー
２ａ    天板部
２ｂ    側壁部２ｂ
２ｃ    収納空間
３      端子
４      弾性片
４ａ    係止用凸部
４ｂ    押下用凸部
４ｃ    係止面
４ｄ    第１傾斜面
４ｅ    第２傾斜面
５      スライダ
５ａ    ベース部
５ｂ    ハートカム部
５ｃ    直線部
５ｄ    環状部
５ｅ    当接部
５ｆ    付勢部材保持部
６      ラッチピン
６ａ    棒部
６ｃ    ピン部
７      付勢部材
２０    アダプタロック機構
３０    スライダロックユニット
ＡＤ    カードアダプタ
ＣＡ    カード
ＣＶ    カード保持用凹部
Ｄ１    第１の距離
ＥＳ    誤挿入防止形状部
ＴＭ    接続端子部
【図１】
2015075858.tif 000003
【図２】
2015075858.tif 000004
【図３】
2015075858.tif 000005
【図４】
2015075858.tif 000006
【図５】
2015075858.tif 000007
【図６】
2015075858.tif 000008
【図７】
2015075858.tif 000009
【図８】
2015075858.tif 000010
【図９】
2015075858.tif 000011
【図１０】
2015075858.tif 000012
【図１１】
2015075858.tif 000013
【図１２】
2015075858.tif 000014
【図１３】
2015075858.tif 000015
【図１４】
2015075858.tif 000016
【図１５】
2015075858.tif 000017
【図１６】
2015075858.tif 000018
【図１７】
2015075858.tif 000019